(57)【要約】【課題】可撓性フィルムを攪拌部材本体にガタつきなく取り付けることができ、これにより、攪拌部材本体に対する可撓性フィルムの位置精度を向上させることができる攪拌部材およびこの攪拌部材を備える現像カートリッジを提供する。【解決手段】アジテータ本体５１は、第１弾性部６５および第２弾性部６６を有している。第１弾性部６５は、ワイパ５３の一方面７５を弾性的に押圧する。第２弾性部６６は、ワイパ５３の他方面７６を弾性的に押圧する。すなわち、ワイパ５３の一方面７５および他方面７６がそれぞれ第１弾性部６５および第２弾性部６６により押圧される。これにより、ワイパ５３は、第１弾性部６５および第２弾性部６６に挟持され、その一端が自由端となる状態でアジテータ本体５１に保持される。【選択図】図３Ａ
2010250018.tif 000002
【特許請求の範囲】
【請求項１】
現像剤を攪拌するための攪拌部材であって、
シート状の可撓性フィルムと、
前記可撓性フィルムの一方面を弾性的に押圧する第１弾性部、および前記可撓性フィルムの前記一方面と反対側の他方面を弾性的に押圧する第２弾性部を有し、前記可撓性フィルムをその一端が自由端となる状態に保持する攪拌部材本体と備える、攪拌部材。
【請求項２】
前記攪拌部材本体は、前記可撓性フィルムの前記一端と反対側の他端を固定するための第１固定部を有している、請求項１に記載の攪拌部材。
【請求項３】
前記攪拌部材本体は、前記可撓性フィルムの前記一端とその反対側の他端との間の途中部を固定するための第２固定部を有している、請求項１または２に記載の攪拌部材。
【請求項４】
前記攪拌部材本体は、前記可撓性フィルムの前記一方面および前記他方面と直交し、前記可撓性フィルムに沿って延びる直交面を有し、
前記第１弾性部および前記第２弾性部は、前記直交面から前記可撓性フィルムが配置される側に突出している、請求項１〜３のいずれか一項に記載の攪拌部材。
【請求項５】
前記攪拌部材本体から前記可撓性フィルムの前記一端側に突出する軸を備え、
前記第１弾性部および前記第２弾性部は、前記軸と平行な方向に交互にそれぞれ複数設けられ、前記軸と直交する方向に延び、その長さが前記軸と平行な方向において順に短くなるように形成されている、請求項４に記載の攪拌部材。
【請求項６】
前記攪拌部材本体から前記可撓性フィルムの前記一端側に突出する軸を備え、
前記第１弾性部および前記第２弾性部は、前記軸と平行な方向に延びている、請求項４に記載の攪拌部材。
【請求項７】
前記攪拌部材本体から前記可撓性フィルムの前記一端側に突出する軸を備え、
前記第１弾性部および前記第２弾性部は、前記軸と交差する方向に延びている、請求項４に記載の攪拌部材。
【請求項８】
前記第１弾性部および前記第２弾性部は、それぞれ前記軸と平行な方向の一方側に向かって開くＶ字状に形成されている、請求項７に記載の攪拌部材。
【請求項９】
前記可撓性フィルムは、合成樹脂からなる、請求項１〜８のいずれか一項に記載の攪拌部材。
【請求項１０】
現像剤が収容される筐体と、
前記筐体内に配置される撹拌部材とを備え、
前記撹拌部材として、請求項１〜９のいずれか一項に記載の撹拌部材が用いられている、現像カートリッジ。
【請求項１１】
前記筐体には、前記現像剤収容室内の現像剤量を検知するための光を透過させる光透過用窓が形成され、
前記撹拌部材本体は、前記筐体に回転可能に支持され、
前記可撓性フィルムは、前記撹拌部材本体の回転により、前記自由端が前記光透過用窓に摺擦するワイパである、請求項１０に記載の現像カートリッジ。
【発明の詳細な説明】
【技術分野】
【０００１】
本発明は、攪拌部材およびこの攪拌部材を備える現像カートリッジに関する。
【背景技術】
【０００２】
レーザプリンタなどの電子写真方式の画像形成装置には、静電潜像が形成される感光ドラムと、その感光ドラムに形成されている静電潜像を現像するための現像カートリッジとが備えられている。
現像カートリッジには、トナーが収容されるトナー収容室が形成されている。トナー収容室の側壁には、トナーの残量を検知するためのトナー検知用窓が形成されている。トナー収容室内には、トナーを攪拌するためのアジテータが設けられている。このアジテータには、トナー検知用窓を清掃するためのワイパが設けられている（たとえば、特許文献１参照）。
【０００３】
ワイパは、アジテータに設けられた固定部材に対して固定されている。具体的には、固定部材には、互いに対向配置される支持板および挟持板が備えられ、支持板には、挟持板に向けて突出するボスが形成されている。また、ワイパは、ウレタンゴムなどの弾性材からなり、その一端部には、ボスに対応する貫通孔が形成されている。そして、支持板と挟持板との間に形成されるスリットに対してワイパが差し入れられ、ワイパの貫通孔にボスが挿通されることにより、弾性材からなるワイパが固定部材に固定されている。
【先行技術文献】
【特許文献】
【０００４】
【特許文献１】特開２００６−３０８６８８号公報
【発明の概要】
【発明が解決しようとする課題】
【０００５】
ワイパの材料コストを削減するために、その材料として、弾性材に代えて、合成樹脂からなる可撓性フィルムを使用することが考えられる。
ワイパの材料として弾性材を用いる構成では、貫通孔の径がボスよりも小さくても、その弾性により貫通孔の径を拡張させることによって、貫通孔にボスを挿通させることができる。しかし、ワイパの材料として可撓性フィルムを用いる構成では、ボスを貫通孔に確実に挿通させることができるように、貫通孔の径をボスよりも大きく形成する必要がある。そのため、可撓性フィルムと固定部材との間にガタ（遊び）が生じ、固定部材に対する可撓性フィルムの位置精度が低下する。
【０００６】
そこで、本発明の目的は、可撓性フィルムを攪拌部材本体にガタつきなく取り付けることができ、これにより、攪拌部材本体に対する可撓性フィルムの位置精度を向上させることができる攪拌部材およびこの攪拌部材を備える現像カートリッジを提供することである。
【課題を解決するための手段】
【０００７】
前記の目的を達成するため、請求項１に記載の発明は、現像剤を攪拌するための攪拌部材であって、シート状の可撓性フィルムと、前記可撓性フィルムの一方面を弾性的に押圧する第１弾性部、および前記可撓性フィルムの前記一方面と反対側の他方面を弾性的に押圧する第２弾性部を有し、前記可撓性フィルムをその一端が自由端となる状態に保持する攪拌部材本体と備えることを特徴としている。
【０００８】
請求項２に記載の発明は、請求項１に記載の発明において、前記攪拌部材本体は、前記可撓性フィルムの前記一端と反対側の他端を固定するための第１固定部を有していることを特徴としている。
請求項３に記載の発明は、請求項１または２に記載の発明において、前記攪拌部材本体は、前記可撓性フィルムの前記一端とその反対側の他端との間の途中部を固定するための第２固定部を有していることを特徴としている。
【０００９】
請求項４に記載の発明は、請求項１〜３のいずれか一項に記載の発明において、前記攪拌部材本体は、前記可撓性フィルムの前記一方面および前記他方面と直交し、前記可撓性フィルムに沿って延びる直交面を有し、前記第１弾性部および前記第２弾性部は、前記直交面から前記可撓性フィルムが配置される側に突出していることを特徴としている。
請求項５に記載の発明は、請求項４に記載の発明において、前記攪拌部材本体から前記可撓性フィルムの前記一端側に突出する軸を備え、前記第１弾性部および前記第２弾性部は、前記軸と平行な方向に交互にそれぞれ複数設けられ、前記軸と直交する方向に延び、その長さが前記軸と平行な方向において順に短くなるように形成されていることを特徴としている。
【００１０】
請求項６に記載の発明は、請求項４に記載の発明において、前記攪拌部材本体から前記可撓性フィルムの前記一端側に突出する軸を備え、前記第１弾性部および前記第２弾性部は、前記軸と平行な方向に延びていることを特徴としている。
請求項７に記載の発明は、請求項４に記載の発明において、前記攪拌部材本体から前記可撓性フィルムの前記一端側に突出する軸を備え、前記第１弾性部および前記第２弾性部は、前記軸と交差する方向に延びていることを特徴としている。
【００１１】
請求項８に記載の発明は、請求項７に記載の発明において、前記第１弾性部および前記第２弾性部は、それぞれ前記軸と平行な方向の一方側に向かって開くＶ字状に形成されていることを特徴としている。
請求項９に記載の発明は、請求項１〜８のいずれか一項に記載の発明において、前記可撓性フィルムは、合成樹脂からなることを特徴としている。
【００１２】
請求項１０に記載の発明は、現像カートリッジであって、現像剤が収容される筐体と、前記筐体内に配置される撹拌部材とを備え、前記撹拌部材として、請求項１〜９のいずれか一項に記載の撹拌部材が用いられていることを特徴としている。
請求項１１に記載の発明は、請求項１０に記載の発明において、前記筐体には、前記現像剤収容室内の現像剤量を検知するための光を透過させる光透過用窓が形成され、前記撹拌部材本体は、前記筐体に回転可能に支持され、前記可撓性フィルムは、前記撹拌部材本体の回転により、前記自由端が前記光透過用窓に摺擦するワイパであることを特徴としている。
【発明の効果】
【００１３】
請求項１および１０に記載の発明によれば、現像剤を攪拌するための攪拌部材は、シート状の可撓性フィルムおよび攪拌部材本体を備えている。攪拌部材本体は、第１弾性部および第２弾性部を有している。第１弾性部は、可撓性フィルムの一方面を弾性的に押圧する。第２弾性部は、可撓性フィルムの他方面を弾性的に押圧する。すなわち、可撓性フィルムの一方面および他方面がそれぞれ第１弾性部および第２弾性部により押圧される。これにより、可撓性フィルムは、第１弾性部および第２弾性部に挟持され、その一端が自由端となる状態で攪拌部材本体に保持される。そのため、第１弾性部と第２弾性部との間において、可撓性フィルムが攪拌部材本体にガタつきなく取り付けられる。その結果、攪拌部材本体に対する可撓性フィルムの位置精度を向上させることができる。
【００１４】
請求項２に記載の発明によれば、攪拌部材本体は、第１固定部を有している。第１固定部により、可撓性フィルムの他端が固定される。したがって、可撓性フィルムの他端が固定されるとともに、可撓性フィルムの一方面および他方面がそれぞれ第１弾性部および第２弾性部により押圧される。これにより、少なくとも第１固定部と第１弾性部および第２弾性部のうちの第１固定部に近い方のものとの間において、可撓性フィルムに張力が生じ、可撓性フィルムが攪拌部材本体にガタつきのない安定した状態に取り付けられる。その結果、攪拌部材本体に対する可撓性フィルムの位置精度を一層向上させることができる。
【００１５】
請求項３に記載の発明によれば、攪拌部材本体は、第２固定部を有している。第２固定部により、可撓性フィルムの一端と他端との間の途中部が固定される。したがって、可撓性フィルムの一端と他端との間の途中部が固定されるとともに、可撓性フィルムの一方面および他方面がそれぞれ第１弾性部および第２弾性部により押圧される。これにより、少なくとも第２固定部と第１弾性部および第２弾性部のうちの第２固定部に近い方のものとの間において、可撓性フィルムに張力を生じ、可撓性フィルムが攪拌部材本体にガタつきのない安定した状態に取り付けられる。その結果、攪拌部材本体に対する可撓性フィルムの位置精度を一層向上させることができる。
【００１６】
また、攪拌部材本体が第１固定部および第２固定部の両方を有し、可撓性フィルムの他端と第２固定部に固定される途中部との間において、可撓性フィルムの一方面および他方面がそれぞれ第１弾性部および第２弾性部により押圧される場合、可撓性フィルムの他端と途中部との間の部分に張力が生じ、その部分が攪拌部材本体にガタつきのない安定した状態に取り付けられる。その結果、攪拌部材本体に対する可撓性フィルムの位置精度をより一層向上させることができる。
【００１７】
請求項４に記載の発明によれば、攪拌部材本体は、可撓性フィルムの一方面および他方面と直交する直交面を有している。直交面は、可撓性フィルムに沿って延びている。第１弾性部および第２弾性部は、直交面から突出している。可撓性フィルムは、第１弾性部および第２弾性部を弾性変形させて、第１弾性部と第２弾性部との間に挟み込まれることにより、攪拌部材本体に取り付けられる。このとき、可撓性フィルムの端縁を直交面に当接させることにより、可撓性フィルムを攪拌部材本体に対して直交面に直交する方向（第１弾性部および第２弾性部の突出方向）に位置決めすることができる。
【００１８】
請求項５に記載の発明によれば、攪拌部材は、攪拌部材本体から可撓性フィルムの一端側に突出する軸を備えている。第１弾性部および第２弾性部は、軸と平行な方向に交互にそれぞれ複数設けられている。また、第１弾性部および第２弾性部は、軸と直交する方向に延び、その長さが軸と平行な方向において順に短くなるように形成されている。そのため、可撓性フィルムが第１弾性部および第２弾性部の長いものから順に接触するように、可撓性フィルムを互いに隣り合う第１弾性部と第２弾性部との各間に軸と直交する方向から差し込んでいくことにより、可撓性フィルムを波打ち形状に容易に変形させることができる。したがって、可撓性フィルムを攪拌部材本体に容易に取り付けることができる。
【００１９】
請求項６に記載の発明によれば、攪拌部材は、攪拌部材本体から可撓性フィルムの一端側に突出する軸を備えている。第１弾性部および第２弾性部は、軸と平行な方向に延びている。そのため、可撓性フィルムを第１弾性部と第２弾性部との間に軸と平行な方向から差し込むことにより、可撓性フィルムを攪拌部材本体に容易に取り付けることができる。
請求項７に記載の発明によれば、攪拌部材は、攪拌部材本体から可撓性フィルムの一端側に突出する軸を備えている。第１弾性部および第２弾性部は、軸と交差する方向に延びている。そのため、可撓性フィルムを第１弾性部と第２弾性部との間に軸と平行な方向から差し込むことにより、可撓性フィルムを攪拌部材本体に容易に取り付けることができる。
【００２０】
請求項８に記載の発明によれば、第１弾性部および第２弾性部は、それぞれ軸と平行な方向の一方側に向かって開くＶ字状に形成されている。これにより、第１弾性部が形成するＶ字の頂点と第２弾性部が形成するＶ字の頂点とを結ぶ直線の両側において、可撓性フィルムを波打ち形状に変形させることができる。
請求項９に記載の発明によれば、可撓性フィルムは、合成樹脂からなる。そのため、可撓性フィルムがゴムからなる構成と比較して、可撓性フィルムの製造コストを低減することができる。
【００２１】
請求項１１に記載の発明によれば、筐体には、筐体内の現像剤量を検知するための光を透過させる光透過用窓が形成されている。攪拌部材本体は、筐体に回転可能に支持されている。攪拌部材の回転により、可撓性フィルムは、その自由端が光透過用窓に摺擦するワイパとして機能する。これにより、攪拌部材の回転によって、可撓性フィルムの自由端が光透過用窓に摺擦され、光透過用窓に付着した現像剤を除去することができる。
【図面の簡単な説明】
【００２２】
【図１】図１は、本発明の一実施形態に係るカラープリンタの断面図である。
【図２】図２は、プロセスカートリッジの断面図である。
【図３Ａ】図３Ａは、アジテータの幅方向一方側の端部の斜視図である。
【図３Ｂ】図３Ｂは、図３Ａに示すアジテータの幅方向一方側の端部を図３Ａの斜視方向と反対側から見たときの斜視図である。
【図４Ａ】図４Ａは、アジテータの幅方向一方側の端部の斜視図であり、ワイパが取り外された状態を示す。
【図４Ｂ】図４Ｂは、図４Ａに示すアジテータの幅方向一方側の端部を図４Ａの斜視方向と反対側から見たときの斜視図である。
【図５】図５は、図３Ａに示すワイパ保持部に保持されるワイパの平面図である。
【図６Ａ】図６Ａは、アジテータの幅方向一方側の端部の斜視図であり、ワイパがワイパ保持部材に装着される途中の状態を示す。
【図６Ｂ】図６Ｂは、図６Ａに示すアジテータの幅方向一方側の端部を図６Ａの斜視方向と反対側から見たときの斜視図である。
【図７Ａ】図７Ａは、本発明の第２の実施形態に係るアジテータの幅方向一方側の端部の斜視図である。
【図７Ｂ】図７Ｂは、図７Ａに示すアジテータの幅方向一方側の端部を図７Ａの斜視方向と反対側から見たときの斜視図である。
【図８Ａ】図８Ａは、図７Ａに示すアジテータの幅方向一方側の端部の斜視図であり、ワイパが取り外された状態を示す。
【図８Ｂ】図８Ｂは、図８Ａに示すアジテータの幅方向一方側の端部を図８Ａの斜視方向と反対側から見たときの斜視図である。
【図９】図９は、図７Ａに示すワイパ保持部に保持されるワイパの平面図である。
【図１０】図１０は、図７Ａに示すアジテータの幅方向一方側の端部の側面図であり、ワイパがワイパ保持部材に装着された状態を示す。
【図１１Ａ】図１１Ａは、本発明の第３の実施形態に係るアジテータの幅方向一方側の端部の斜視図である。
【図１１Ｂ】図１１Ｂは、図１１Ａに示すアジテータの幅方向一方側の端部を図１１Ａの斜視方向と反対側から見たときの斜視図である。
【図１２Ａ】図１２Ａは、図１１Ａに示すアジテータの幅方向一方側の端部の斜視図であり、ワイパが取り外された状態を示す。
【図１２Ｂ】図１２Ｂは、図１２Ａに示すアジテータの幅方向一方側の端部を図１２Ａの斜視方向と反対側から見たときの斜視図である。
【図１２Ｃ】図１２Ｃは、図１２Ａに示すに示すアジテータの幅方向一方側の端部の側面図である。
【図１３】図１３は、図１１Ａに示すワイパ保持部に保持されるワイパの平面図である。
【図１４】図１４は、図１１Ａに示すアジテータの幅方向一方側の端部の側面図である。
【図１５Ａ】図１５Ａは、本発明の第４の実施形態に係るアジテータの幅方向一方側の端部の斜視図である。
【図１５Ｂ】図１５Ｂは、図１５Ａに示すアジテータの幅方向一方側の端部を図１５Ａの斜視方向と反対側から見たときの斜視図である。
【発明を実施するための形態】
【００２３】
以下では、本発明の実施形態について、添付図面を参照しながら詳細に説明する。
１．カラープリンタの全体構成
図１は、本発明の一実施形態に係るカラープリンタの断面図である。
画像形成装置の一例としてのカラープリンタ１は、本体ケーシング２を備えている。
本体ケーシング２内には、４つのプロセスカートリッジ３が備えられている。４つのプロセスカートリッジ３（３Ｋ，３Ｙ，３Ｍ，３Ｃ）は、ブラック、イエロー、マゼンタおよびシアンの各色に対応して設けられ、後述する搬送ベルト１１による用紙Ｐの搬送方向において、その上流側からブラック、イエロー、マゼンタおよびシアンの順に等間隔に並べて配置されている。各プロセスカートリッジ３は、本体ケーシング２の上面に設けられたトップカバー４を開放した状態で、本体ケーシング２内に対して上方から装着することができる。
【００２４】
各プロセスカートリッジ３は、感光ドラム５を備えている。また、各プロセスカートリッジ３内には、スコロトロン型帯電器６、現像ローラ７およびクリーニング機構８などが感光ドラム５の周面に対向配置されている。
一方、本体ケーシング２内には、各色に対応した４つのＬＥＤユニット９が各プロセスカートリッジ５に対応して設けられている。各ＬＥＤユニット９の先端部は、感光ドラム５の周面に対向配置されている。
【００２５】
感光ドラム５の回転に伴って、感光ドラム５の表面は、スコロトロン型帯電器６によって一様に帯電された後、ＬＥＤユニット９の先端部に設けられたＬＥＤ（図示せず）によって露光される。これにより、感光ドラム５の表面には、画像データに基づく静電潜像が形成される。そして、感光ドラム５の回転に伴って、静電潜像が現像ローラ７に対向すると、静電潜像にトナーが供給され、感光ドラム５の表面にトナー像が形成される。
【００２６】
本体ケーシング２の底部には、用紙Ｐを収容する給紙カセット１０が配置されている。給紙カセット１０に収容されている用紙Ｐは、各種ローラにより、搬送ベルト１１上に搬送される。搬送ベルト１１は、４つの感光ドラム５に下方から対向して配置されている。各感光ドラム５に対して搬送ベルト１１の上側部分を挟んで対向する各位置には、転写ローラ１２が配置されている。搬送ベルト１１上に搬送された用紙Ｐは、搬送ベルト１１の走行により、搬送ベルト１１と各感光ドラム５との間を順次に通過する。そして、感光ドラム５の表面上のトナー像は、用紙Ｐと対向したときに、転写ローラ１２に印加された転写バイアスによって、用紙Ｐに転写される。
【００２７】
搬送ベルト１１に対して用紙Ｐの搬送方向における下流側には、定着器１３が設けられている。トナー像が転写された用紙Ｐは、定着器１３に搬送される。定着器１３では、加熱および加圧により、トナー像が用紙Ｐに定着される。トナー像が定着した用紙Ｐは、各種ローラにより、本体ケーシング２の上面の排紙トレイ１４に排出される。
感光ドラム５から用紙Ｐへのトナー像の転写後、感光ドラム５の周面上に付着している残留トナーや用紙Ｐの紙粉などの付着物は、感光ドラム５の回転に伴って、クリーニング機構８に対向したときに、クリーニング機構８によって回収される。
【００２８】
なお、以下の説明では、搬送ベルト１１による用紙Ｐの搬送方向の上流側を前側（正面側）とし、その反対側の下流側を後側（背面側）とする。また、カラープリンタ１を前側から見たときを左右の基準とする。
２．プロセスカートリッジ
図２は、プロセスカートリッジの断面図である。図２では、プロセスカートリッジが図１に示す状態から感光ドラムと現像ローラとがほぼ水平方向に対向するように寝かせた状態で示されている。
（１）プロセスカートリッジの全体構成
プロセスカートリッジ３は、フレーム２０を備えている。フレーム２０は、感光ドラム５、スコロトロン型帯電器６およびクリーニング機構８を保持する保持部３４と、保持部３４の一方側に設けられ、現像カートリッジ２１が装着されるカートリッジ装着部３５を有している。
【００２９】
現像カートリッジ２１は、筐体の一例としての現像ケーシング２７を備えている。現像ケーシング２７は、現像カートリッジ２１がカートリッジ装着部３５に装着された状態において、感光ドラム５と対向する面に開口３６を有するボックス形状に形成されている。
現像ケーシング２７の内部は、隔壁２８により、トナーホッパ２９と、トナーホッパ２９に対して感光ドラム５側に設けられる現像部３０とに区画されている。隔壁２８には、トナーホッパ２９と現像部３０とを連通する連通穴３１が形成されている。
【００３０】
トナーホッパ２９内には、現像剤として、各色に対応したトナーが収容されている。また、現像ケーシング２７の幅方向（左右方向と同じ。）の両側壁には、幅方向に対向する位置に、それぞれ光透過用窓３２が設けられている。光透過用窓３２は、現像ケーシング２７の側壁に円孔を形成し、この円孔に透明な円板を嵌め込むことにより構成されている。
【００３１】
なお、本体ケーシング２（図１参照）には、トナーエンプティセンサ（図示せず）が設けられている。トナーエンプティセンサは、プロセスカートリッジ３（現像カートリッジ２１）が本体ケーシング２内に装着された状態で、一方の光透過用窓３２に対向する位置に配置される発光素子と、他方の光透過用窓３２に対向する位置に配置される受光素子とを含む。発光素子から発光される検知光は、一方の光透過用窓３２からトナーホッパ２９内に入射され、トナーホッパ２９内を通過した後、他方の光透過用窓３２から出射され、受光素子によって受光される。トナーホッパ２９内のトナーが、次に述べる攪拌部材の一例としてのアジテータ３３によって掻き上げられる間に、受光素子による検知光の検知時間を計測することにより、トナーホッパ２９内のトナーの残量を検知することができる。
【００３２】
トナーホッパ２９内には、トナーを攪拌するための攪拌部材の一例としてのアジテータ３３が設けられている。アジテータ３３は、アジテータ回転軸５０と、攪拌部材本体の一例としてのアジテータ本体５１とを一体的に備えている。
アジテータ回転軸５０は、トナーホッパ２９のほぼ中央部において、現像ケーシング２７の両側壁に回転可能に支持されている。
【００３３】
アジテータ本体５１は、アジテータ回転軸５０に沿って延び、アジテータ回転軸５０の径方向（以下、単に「径方向」という。）に幅を有する格子状に形成されている。
アジテータ本体５１には、攪拌フィルム５２が保持されている。攪拌フィルム５２は、たとえば、ＰＥＴ（ポリエチレンテレフタレート）などの合成樹脂からなり、可撓性を有している。攪拌フィルム５２の幅方向の幅は、アジテータ本体５１の幅方向の幅とほぼ同じに形成されている。攪拌フィルム５２の幅方向と直交する方向の一端部は、アジテータ本体５１における径方向外側の端面に保持され、その一端部と反対側の他端部は、自由端となっている。
【００３４】
また、アジテータ本体５１の幅方向の両端部には、可撓性フィルムの一例としてのワイパ５３が保持されている。ワイパ５３は、アジテータ本体５１から幅方向に突出し、その自由端である先端が現像ケーシング２７の幅方向の側壁に当接するように設けられている。
アジテータ回転軸５０に駆動力が入力されると、アジテータ回転軸５０が回転され、アジテータ本体５１が、アジテータ回転軸５０を中心として、アジテータ回転軸５０の周方向に沿ってトナーホッパ２９内を移動する。これにより、トナーホッパ２９内のトナーが攪拌フィルム５２によって攪拌される。また、光透過用窓３２の幅方向内側面にワイパ５３が摺擦されることによって、光透過用窓３２が清掃（光透過用窓３２に付着したトナーが払拭）される。
【００３５】
現像部３０には、現像ローラ７および供給ローラ２４が設けられている。
現像ローラ７は、現像ケーシング２７の開口３６を閉塞するように配置され、その周面が現像ケーシング２７から露出している。現像カートリッジ２１がフレーム２０のカートリッジ装着部３５に装着された状態で、現像ローラ７の周面の現像ケーシング２７から露出した部分は、感光ドラム５の周面に接触している。
【００３６】
供給ローラ２４は、現像ローラ７と連通穴３１との間に配置され、その周面が現像ローラ７の周面に接触している。
アジテータ３３によって攪拌されたトナーは、連通穴３１を通過し、供給ローラ２４の表面に供給される。そして、供給ローラ２４および現像ローラ７の回転によって、供給ローラ２４から現像ローラ７の表面にトナーが供給される。
３．アジテータ
図３Ａは、アジテータの幅方向一方側の端部の斜視図である。図３Ｂは、図３Ａに示すアジテータの幅方向一方側の端部を図３Ａの斜視方向と反対側から見たときの斜視図である。
（１）アジテータ本体
アジテータ本体５１は、アジテータ回転軸５０に対して間隔を空けて配置され、幅方向（アジテータ回転軸５０と平行な方向）に延びる平行部８０と、平行部８０とアジテータ回転軸５０との間に架設される桟８１と、アジテータ回転軸５０に対して平行部８０と反対側に設けられ、アジテータ回転軸５０に沿って延びる板状部８２とを一体的に備えている。
【００３７】
アジテータ本体５１の幅方向の両端部には、遮光板５５およびワイパ保持部５６が一体的に形成されている。
（２）遮光板
遮光板５５は、平行部８０とアジテータ回転軸５０との間に跨って設けられ、アジテータ本体５１からアジテータ回転軸５０と直交する平面に沿って、アジテータ回転軸５０に対する一方側に突出する略矩形板状に形成されている。遮光板５５は、トナーエンプティセンサの検知光を一定間隔で遮光して、トナー残量の検知精度を向上させるために設けられている。
（３）ワイパ保持部材
図４Ａは、アジテータの幅方向一方側の端部の斜視図であり、ワイパが取り外された状態を示す。図４Ｂは、図４Ａに示すアジテータの幅方向一方側の端部を図４Ａの斜視方向と反対側から見たときの斜視図である。
【００３８】
ワイパ保持部５６には、ワイパ５３が保持される。
幅方向の一方側のワイパ保持部５６およびワイパ５３と、他方側のワイパ保持部５６およびワイパ５３は、それぞれ幅方向に対称の構成を有しているので、以下では、一方側のワイパ保持部５６およびワイパ５３の構成について説明し、他方側のワイパ保持部５６およびワイパ５３の構成についての説明を省略する。
【００３９】
ワイパ保持部５６は、略コ字状に形成されている。具体的には、ワイパ保持部５６は、幅方向に延び、アジテータ回転軸５０および遮光板５５に対して固定された板状の固定部６０と、固定部６０に対して径方向に間隔を空けて対向し、幅方向において固定部６０と同じ長さに延びる板状の対向部８３と、固定部６０および対向部８３のそれぞれ幅方向内側の端部同士を連結する板状の連結部６１とを一体的に備えている。
【００４０】
固定部６０における遮光板５５の突出している側の端面には、第１固定部６２が形成されている。第１固定部６２は、略四角錐状に形成されている。第１固定部６２のアジテータ本体５１側の部分と固定部６０との間には、ワイパ５３の厚さよりも少し大きい隙間が形成されている。
対向部８３における遮光板５５の突出している側と反対側の端面には、第２固定部６３が形成されている。第２固定部６３は、略四角錐状に形成されている。第２固定部６３において、アジテータ軸５０の径方向外側部分は、対向部８３の径方向外側面よりも突出している。
【００４１】
連結部６１の幅方向外側の面は、径方向に延びる平坦面であり、ワイパ５３（図３Ａ参照）の一方面７５および他方面７６と直交する直交面６４である。この直交面６４には、幅方向外側に突出する第１弾性部６５および第２弾性部６６が形成されている。第１弾性部６５および第２弾性部６６は、同径の円柱状に形成され、幅方向において固定部６０および対向部８３と同じ長さを有している。直交面６４は、固定部６０と対向部８３との対向方向と直交する方向において、第１弾性部６５の直径の約２倍の幅を有している。
【００４２】
第１弾性部６５は、固定部６０に対して間隔を空けて設けられている。また、第１弾性部６５は、幅方向に見たときに、第１弾性部６５の周面がなす円弧と連結部６１における遮光板５５の突出している側の端面がなす直線とが接するように配置されている。
第２弾性部６６は、第１弾性部６５に対して対向部８３側に設けられている。また、第２弾性部６６は、幅方向に見たときに、第１弾性部６５の周面がなす円弧と連結部６１における遮光板５５の突出している側と反対側の端面がなす直線とが接し、固定部６０と対向部８３との対向方向および幅方向と直交する方向に延びる直線が第１弾性部６５および第２弾性部６６の周面がなす各円弧に共通に接するように配置されている。
（４）ワイパ
図５は、ワイパの平面図である。
【００４３】
ワイパ５３は、ＰＥＴなどの合成樹脂からなり、可撓性を有するフィルム状に形成された可撓性フィルムである。
ワイパ５３は、矩形状の可撓性フィルムの１つの角部が略Ｌ字状に切り欠かれた形状を有している。
具体的には、ワイパ５３は、幅方向においてワイパ保持部５６の固定部６０および対向部８３よりも大きい幅を有する一端部７０と、一端部７０に対して幅方向と直交する方向に連続し、幅方向において第１弾性部６５および第２弾性部６６とほぼ同じ幅を有する途中部７２と、途中部７２に対して一端部７０と反対側に連続し、幅方向において途中部７２よりも小さい幅を有する他端部７１とからなる。一端部７０、途中部７２および他端部７１の幅方向内側の端縁は、同一直線上に配置されている。
【００４４】
一端部７０の幅方向内側の角部には、第２固定部６３を挿通可能な略矩形状の孔７３が貫通形成されている。
他端部７１の略中央部には、第１固定部６２を挿通可能な略矩形状の孔７４が貫通形成されている。
（３）ワイパ保持部材に対するワイパの固定
図６Ａは、アジテータの幅方向一方側の端部の斜視図であり、ワイパがワイパ保持部材に装着される途中の状態を示す。図６Ｂは、図６Ａに示すアジテータの幅方向一方側の端部を図６Ａの斜視方向と反対側から見たときの斜視図である。
【００４５】
ワイパ５３は、ワイパ保持部５６に次のようにして取り付けられる。
まず、ワイパ５３がワイパ保持部５６に対して遮光板５５の突出している側に配置される。この状態で、ワイパ５３において、ワイパ保持部５６と対向する面が一方面７５とされ、その反対側の面が他方面７６とされる。
次に、ワイパ５３が全体的にワイパ保持部５６に近づく方向に移動され、図６Ａに示すように、ワイパ５３の他端部７１に形成されている孔７４に、固定部６０の第１固定部６２が挿通される。このとき、孔７４の他端側端縁は、第１固定部６２のアジテータ本体５１側の部分と固定部６０との間に形成された隙間に入り込み、第１固定部６２に対してアジテータ本体５１側から当接する。これにより、ワイパ５３の他端部７１がワイパ保持部５６に固定される。
【００４６】
その後、図６Ａ，６Ｂに示すように、ワイパ５３の一方面７５における途中部７２が、第１弾性部６５の周面に沿って湾曲されて、第１弾性部６５と第２弾性部６６との間を通される。さらに、途中部７２が第２弾性部６６の周面に沿って湾曲され、ワイパ５３の一端部７０が対向部８３側に向けられる。
そして、ワイパ５３の一端部７０に形成されている孔７３に、向部８３の第２固定部６３が挿通される。このとき、孔７３の対向部８３側の端縁は、第２固定部６３の突出部分の上側に配置され、第２固定部６３に対して対向部８３側から当接する。これにより、図３Ａ，３Ｂに示すように、ワイパ５３の一端部７０がワイパ保持部５６に固定され、ワイパ保持部５６に対するワイパ５３の取り付けが達成される。
４．作用効果
以上のように、トナーを攪拌するためのアジテータ３３は、シート状のワイパ５３およびアジテータ本体５１を備えている。アジテータ本体５１は、第１弾性部６５および第２弾性部６６を有している。第１弾性部６５は、ワイパ５３の一方面７５を弾性的に押圧する。第２弾性部６６は、ワイパ５３の他方面７６を弾性的に押圧する。すなわち、ワイパ５３の一方面７５および他方面７６がそれぞれ第１弾性部６５および第２弾性部６６により押圧される。これにより、ワイパ５３は、第１弾性部６５および第２弾性部６６に挟持され、その一端が自由端となる状態でアジテータ本体５１に保持される。そのため、第１弾性部６５と第２弾性部６６との間において、ワイパ５３がアジテータ本体５１にガタつきなく取り付けられる。その結果、アジテータ本体５１に対するワイパ５３の位置精度を向上させることができる。
【００４７】
また、アジテータ本体５１が第１固定部６２および第２固定部６３の両方を有し、ワイパ５３の他端と第２固定部６３に固定される途中部との間において、ワイパ５３の一方面７５および他方面７６がそれぞれ第１弾性部６５および第２弾性部６６により押圧されるので、ワイパ５３の他端部７１と途中部７２との間の部分に張力が生じ、その部分がアジテータ本体５１にガタつきのない安定した状態に取り付けられる。その結果、アジテータ本体５１に対するワイパ５３の位置精度をより一層向上させることができる。
【００４８】
また、アジテータ本体５１は、ワイパ５３の一方面７５および他方面７６と直交する直交面６４を有している。直交面６４は、ワイパ５３に沿って延びている。第１弾性部６５および第２弾性部６６は、直交面６４から突出している。ワイパ５３は、第１弾性部６５および第２弾性部６６を弾性変形させて、第１弾性部６５と第２弾性部６６との間に挟み込まれることにより、アジテータ本体５１に取り付けられる。このとき、ワイパ５３の端縁を直交面６４に当接させることにより、ワイパ５３をアジテータ本体５１に対して幅方向（第１弾性部６５および第２弾性部６６の突出方向）に位置決めすることができる。
【００４９】
また、ワイパ５３は、合成樹脂からなる。そのため、ワイパ５３がゴムからなる構成と比較して、ワイパ５３の製造コストを低減することができる。
また、現像ケーシング２７には、現像ケーシング２７内のトナー量を検知するための光を透過させる光透過用窓３２が形成されている。アジテータ本体５１は、現像ケーシング２７に回転可能に支持されている。アジテータ３３の回転により、ワイパ５３の自由端が光透過用窓３２に摺擦され、光透過用窓３２に付着したトナーを除去することができる。
５．第２の実施形態
図７Ａは、本発明の第２の実施形態に係るアジテータの幅方向一方側の端部の斜視図である。図７Ｂは、図７Ａに示すアジテータの幅方向一方側の端部を図７Ａの斜視方向と反対側から見たときの斜視図である。なお、図７Ａ，７Ｂにおいて、図３Ａ，３Ｂに示す各部に相当する部分には、それらの各部に付した参照符号と同一の参照符号を付している。そして、以下では、同一の参照符号を付した部分についての説明を省略する。
【００５０】
図７Ａ，７Ｂに示すアジテータ３３では、図３Ａ，３Ｂに示すワイパ保持部５６およびワイパ５３に代えて、ワイパ保持部１００およびワイパ１０１が設けられている。
（１）ワイパ保持部材
図８Ａは、図７Ａに示すアジテータの幅方向一方側の端部の斜視図であり、ワイパが取り外された状態を示す。図８Ｂは、図８Ａに示すアジテータの幅方向一方側の端部を図８Ａの斜視方向と反対側から見たときの斜視図である。
【００５１】
幅方向の一方側のワイパ保持部１００およびワイパ１０１と、他方側のワイパ保持部１００およびワイパ１０１は、それぞれ幅方向に対称の構成を有しているので、以下では、一方側のワイパ保持部１００およびワイパ１０１の構成について説明し、他方側のワイパ保持部１００およびワイパ１０１の構成についての説明を省略する。
ワイパ保持部１００は、幅方向に延び、アジテータ回転軸５０および遮光板５５に対して固定された板状の固定部１０２と、固定部１０２に対して径方向に間隔を空けて対向し、幅方向において固定部６０と同じ長さに延びる板状の対向部１１５と、固定部１０２および対向部１１５のそれぞれ幅方向内側の端部同士を連結する板状の内側連結部１０３と、固定部１０２および対向部１１５のそれぞれ幅方向外側の端部同士を連結する板状の外側連結部１０４とを一体的に備えている。外側連結部１０４の厚さは、固定部１０２および対向部１１５の厚さよりも小さい。
【００５２】
また、内側連結部１０３の幅方向外側の面は、径方向に延びる平坦面であり、ワイパ１０１（図７Ａ参照）の一方面１１２および他方面１１３と直交する直交面１０６である。この直交面１０６には、幅方向外側に突出する第１弾性部１０７および第２弾性部１０８が形成されている。
第１弾性部１０７は、直交面１０６における遮光板５５の突出している側の端部において、径方向に沿って並列に２つ配置されている。第１弾性部１０７の幅方向（左右方向）の長さは、固定部１０２および対向部１１５の幅方向の長さよりもわずかに小さい。第１弾性部１０７を幅方向と直交する方向に切断したときの断面形状は、遮光板５５の突出方向と逆方向に凸となる半円形状をなしている。また、図８Ｂに示すように、第１弾性部１０７の幅方向外側端部には、幅方向外側ほど遮光板５５の突出している側に向かうように傾斜する第１傾斜面１０９が形成されている。各第１弾性部１０７の幅方向外側端部同士は、互いに連結されている。
【００５３】
第２弾性部１０８は、直交面１０６における遮光板５５の突出している側と反対側の端部において、径方向に沿って並列に３つ配置されている。
固定部１０２側の第２弾性部１０８は、固定部１０２とほぼ同じ幅方向の長さを有し、固定部１０２と一体的に形成されている。固定部１０２側の第２弾性部１０８を幅方向と直交する方向に切断したときの断面形状は、遮光板５５の突出している側において、第２弾性部１０８の配列方向内側部分が円弧となるような扇状をなしている。
【００５４】
対向部１１５側の第２弾性部１０８は、対向部１１５とほぼ同じ幅方向の長さを有し、対向部１１５と一体的に形成されている。対向部１１５側の第２弾性部１０８を幅方向と直交する方向に切断したときの断面形状は、遮光板５５の突出している側において、第２弾性部１０８の配列方向内側部分が円弧となるような扇状をなしている。
中央の第２弾性部１０８の幅方向の長さは、第１弾性部１０７の幅方向の長さよりもわずかに小さい。中央の第２弾性部１０８を幅方向と直交する方向に切断したときの断面形状は、遮光板５５の突出している側に凸となるような半円形状をなしている。また、中央の第２弾性部１０８の凸状面において、幅方向内側の部分には、遮光板５５の突出している側に突出する円柱状の第１固定部の一例としての固定突起１１０が形成されている。
【００５５】
図８Ａに示すように、各第２弾性部１０８の幅方向外側端部には、幅方向外側ほど遮光板５５の突出している側と反対側に向かうように傾斜する第２傾斜面１０５が形成されている。
また、各第１弾性部１０７の凸状面と各第２弾性部１０８の凸状面とは、それらの配列方向において重なるように配置されている。
（２）ワイパ
図９は、ワイパの平面図である。
【００５６】
ワイパ１０１は、ＰＥＴなどの合成樹脂からなり、可撓性を有するフィルム状に形成された可撓性フィルムである。
ワイパ１０１は、幅方向および幅方向と直交する方向に延びる矩形状に形成されている。ワイパ１０１の幅方向の長さは、固定部１０２および対向部１１５の幅方向の長さよりも大きい。また、ワイパ１０１の径方向の幅は、固定部１０２と対向部１１５との間の間隔よりもわずかに大きい。
【００５７】
また、ワイパ１０１には、その中央部よりも一方側（幅方向内側）に片寄った位置に、固定突起１１０を挿通可能な円形状の孔１１１が貫通形成されている。
（３）ワイパ保持部材に対するワイパの固定
図１０は、ワイパ保持部材の側面図であり、ワイパがワイパ保持部材に装着された状態を示す。
【００５８】
まず、ワイパ１０１の先端部（図９における左端部）が、外側連結部１０４に対して遮光板５５の突出している側に配置される。この状態で、ワイパ１０１において遮光板５５の突出している側の面が一方面１１２とされ、その反対側の面が他方面１１３とされる。
次に、ワイパ１０１が幅方向内側に向けて移動される。この移動により、ワイパ１０１の先端部が第１弾性部１０７の第１傾斜面１０９および第２弾性部１０８の第２傾斜面１０５に当接する。この当接後、ワイパ１０１がさらに移動されることにより、ワイパ１０１の先端部は、外側連結部１０４と第１弾性部１０７との各間に向けて案内されるとともに、第２弾性部１０７の凸状面上に案内される。
【００５９】
ワイパ１０１がさらに移動されると、ワイパ１０１は、その先端部から順に波打ち形状に変形する。そして、ワイパ１０１の先端部が直交面１０６と当接する位置に配置されると、ワイパ１０１に形成された孔１１１に中央の第２弾性部１０８の上面に形成された固定突起１１０が挿通される。これにより、図７Ａ，７Ｂに示すように、ワイパ保持部１００に対するワイパ１０１の取り付けが達成される。
（４）作用効果
このように、ワイパ１０１を第１弾性部１０７と第２弾性部１０８との間に幅方向外側から差し込むことにより、ワイパ１０１をアジテータ本体５１に容易に取り付けることができる。
６．第３の実施形態
図１１Ａは、本発明の第３の実施形態に係るアジテータの幅方向一方側の端部の斜視図である。図１１Ｂは、図１１Ａに示すアジテータの幅方向一方側の端部を図１１Ａの斜視方向と反対側から見たときの斜視図である。なお、図１１Ａ，１１Ｂにおいて、図３Ａ，３Ｂに示す各部に相当する部分には、それらの各部に付した参照符号と同一の参照符号を付している。そして、以下では、同一の参照符号を付した部分についての説明を省略する。
【００６０】
図１１Ａ，１１Ｂに示すアジテータ３３では、図３Ａ，３Ｂに示すワイパ保持部５６およびワイパ５３に代えて、ワイパ保持部材１５０およびワイパ１５１が設けられている。
（１）ワイパ保持部材
図１２Ａは、図１１Ａに示すアジテータの幅方向一方側の端部の斜視図であり、ワイパが取り外された状態を示す。図１２Ｂは、図１２Ａに示すアジテータの幅方向一方側の端部を図１２Ａの斜視方向と反対側から見たときの斜視図である。図１２Ｃは、図１２Ａに示すに示すアジテータの幅方向一方側の端部の側面図である。
【００６１】
幅方向の一方側のワイパ保持部材１５０およびワイパ１５１と、他方側のワイパ保持部材１５０およびワイパ１５１は、それぞれ幅方向に対称の構成を有しているので、以下では、一方側のワイパ保持部材１５０およびワイパ１５１の構成について説明し、他方側のワイパ保持部材１５０およびワイパ１５１の構成についての説明を省略する。
図１２Ａ〜１２Ｃに示すように、ワイパ保持部材１５０は、幅方向に延び、アジテータ回転軸５０および遮光板５５に対して固定された板状の固定部１５２と、固定部１５２の幅方向内側端部から幅方向および遮光板５５の突出方向の両方向と直交する方向（以下、単に「延出方向」という。）に延びる板状の延出部１５３とを一体的に備えている。
【００６２】
固定部１５２の延出方向基端側の面は、幅方向に延びる平坦面であり、ワイパ１５１（図１１Ａ参照）の一方面１６１および他方面１６２と直交する直交面１５４である。この直交面１５４には、延出方向先端側に向けて突出する第１弾性部１５５および第２弾性部１５６が形成されている。
第１弾性部１５５は、直交面１５４における遮光板５５の突出している側の端部において、幅方向に沿って並列に３つ配置されている。
【００６３】
幅方向内側の第１弾性部１５５は、延出部１５３と一体的に形成され。延出部１５３とほぼ同じ延出方向の長さを有している。図１２Ｃに示すように、最も幅方向内側の第１弾性部１５５の幅方向外側面には、遮光板５５の突出方向に向けて傾斜する第１傾斜面１５７が形成されている。
幅方向外側の第１弾性部１５５は、固定部１５２の幅方向外側端部から延出方向先端側に向けて延び、最も幅方向内側の第１弾性部１５５とほぼ同じ延出方向の長さを有している。幅方向外側の第１弾性部１５５の幅方向内側面には、遮光板５５の突出方向に向けて傾斜する傾斜面が形成されている。
【００６４】
中央の第１弾性部１５５は、固定部１５２の幅方向中央部から延出方向先端側に向けて延び、他の２つの第１弾性部１５５よりも小さい延出方向の長さを有している。中央の第１弾性部１５５は、遮光板５５の突出している側が底辺となるような断面略二等辺三角形状に形成されている。具体的には、中央の第１弾性部１５５において、遮光板５５の突出している側と反対側の面には、その幅方向外側端部から第１弾性部１５５の幅方向中央部に向けて遮光板５５の突出している側と反対側に延びる第１傾斜面１５７と、第１傾斜面１５７の幅方向内側端部から第１弾性部１５５の幅方向内側端部に向けて遮光板５５の突出している側に延びる傾斜面が形成されている。
【００６５】
また、最も幅方向内側の第１弾性部１５５および最も幅方向外側の第１弾性部１５５は、その延出方向の先端部同士が互いに連結されている。
第２弾性部１５６は、直交面１５４における遮光板５５の突出している側と反対側の端部において、幅方向に沿って並列に２つ配置されている。
幅方向内側の第２弾性部１５６は、遮光板５５の突出している側から見て、幅方向内側の第１弾性部１５５と中央の第１弾性部１５５との間に位置に配置されている。幅方向内側の第２弾性部１５６は、幅方向内側の第１弾性部１５５よりも小さく、中央の第１弾性部１５５よりも大きな延出方向の長さを有している。幅方向内側の第２弾性部１５６は、遮光板５５の突出している側と反対側が底辺となるような断面略二等辺三角形状に形成されている。具体的には、幅方向内側の第２弾性部１５６において、遮光板５５の突出している側の面には、その幅方向外側端部から第２弾性部１５６の幅方向中央部に向けて遮光板５５の突出している側に延びる第２傾斜面１５８と、第２傾斜面１５８の幅方向内側端部から第２弾性部１５６の幅方向内側端部に向けて遮光板５５の突出している側と反対側に延びる傾斜面とが形成されている。第２傾斜面１５８は、ワイパ保持部材１５０を幅方向に見て、その少なくとも一部が第１弾性部１５５の第１傾斜面１５７と重なるように形成されている。
【００６６】
幅方向外側の第２弾性部１５６は、遮光板５５の突出している側から見て、幅方向外側の第１弾性部１５５と中央の第１弾性部１５５との間の位置に配置されている。幅方向外側の第２弾性部１５６は、幅方向外側の第１弾性部１５５よりも小さく、中央の第１弾性部よりも大きな延出方向の長さを有している。幅方向外側の第２弾性部１５６は、幅方向内側の第２弾性部１５６と同一の形状を有している。すなわち、幅方向外側の第２弾性部１５６は、その幅方向外側端部から第２弾性部１５６の幅方向中央部に向けて遮光板５５の突出している側に延びる第２傾斜面１５８と、第２傾斜面１５８の幅方向内側端部から第２弾性部１５６の幅方向内側端部に向けて遮光板５５の突出している側と反対側に延びる傾斜面とを有している。
【００６７】
また、幅方向外側の第２弾性部１５６における遮光板５５の突出している側の面には、その前後方向中央部に、遮光板５５の突出方向と平行な方向に向けて突出する円柱状の第１固定部の一例としての固定突起１５９が形成されている。
また、幅方向内側の第２弾性部１５６および幅方向外側の第２弾性部１５６は、その延出方向の先端部同士が互いに連結されている。
（２）ワイパ
図１３は、ワイパの平面図である。
【００６８】
ワイパ１５１は、ＰＥＴなどの合成樹脂からなり、可撓性を有するフィルム状に形成された可撓性フィルムである。
ワイパ１５１は、幅方向および幅方向に直交する方向に延びる矩形状に形成されている。ワイパ１５１の幅方向の幅は、固定部１５２の幅方向の幅よりも大きい。また、ワイパ１５１の幅方向と直交する方向の幅は、延出部１５３の延出方向の長さとほぼ同じである。
【００６９】
また、ワイパ１５１の中央部には、固定突起１５９を挿通可能な円形状の孔１６０が貫通形成されている。
（３）ワイパ保持部材に対するワイパの固定
図１４は、ワイパ保持部材の正面図であり、ワイパがワイパ保持部材に装着された状態を示す。
【００７０】
まず、ワイパ保持部材１５０に対して幅方向外側の位置にワイパ１５１が配置される。この状態で、ワイパ１５１において遮光板５５の突出している側の面が一方面１６１とされ、その反対側の面が他方面１６２とされる。
そして、ワイパ１５１が幅方向内側へ移動されると、ワイパ１５１の先端部が幅方向外側の第１弾性部１５５に対して遮光板５５の突出している側と反対側を通り、幅方向外側の第２弾性部１５６に形成された第２傾斜面１５８に対して幅方向外側から当接する。
【００７１】
ワイパ１５１がさらに移動されると、ワイパ１５１の先端部が第２傾斜面１５８に沿って案内され、中央の第１弾性部１５５に形成された第１傾斜面１５７に対して幅方向外側から当接する。
ワイパ１５１がさらに移動されると、ワイパ１５１の先端部が第１傾斜面１５７に沿って案内され、幅方向内側の第２弾性部１５６に形成された第２傾斜面１５８に対して幅方向外側から当接する。
【００７２】
そして、ワイパ１５１がさらに移動されると、ワイパ１５１の先端部が第２傾斜面１５８に沿って案内され、最も幅方向内側の第１弾性部１５５に形成された第１傾斜面１５７に対して幅方向外側から当接する。
その後、第１傾斜面１５７に沿って第１傾斜面１５７の幅方向内側端部にワイパ１５１の先端部が配置されると、ワイパ１５１に形成された孔１６０（図１３参照）に固定突起１５９（図１２Ａ参照）が挿通される。これにより、図１１Ａ，図１１Ｂに示すように、ワイパ保持部材１５０に対するワイパ１５１の取り付けが達成される。
（４）作用効果
以上のように、第１弾性部１５５および第２弾性部１５６は、幅方向に交互にそれぞれ複数設けられている。そして、第１弾性部１５５および第２弾性部１５６は、アジテータ回転軸５０と直交する延出方向に延び、その長さが幅方向において順に短くなるように形成されている。そのため、ワイパ１５１が第１弾性部１５５および第２弾性部１５６の長いものから順に接触するように、ワイパ１５１を互いに隣り合う第１弾性部１５５と第２弾性部１５６との各間に幅方向外側から差し込んでいくことにより、ワイパ１５１を波打ち形状に容易に変形させることができる。したがって、ワイパ１５１をアジテータ本体５１に容易に取り付けることができる。
７．第４の実施形態
図１５Ａは、本発明の第４の実施形態に係るアジテータの幅方向一方側の端部の斜視図である。図１５Ｂは、図１５Ａに示すアジテータの幅方向一方側の端部を図１５Ａの斜視方向と反対側から見たときの斜視図である。なお、図１５Ａ，１５Ｂにおいて、図３Ａ，３Ｂに示す各部に相当する部分には、それらの各部に付した参照符号と同一の参照符号を付している。そして、以下では、同一の参照符号を付した部分についての説明を省略する。また、図１５Ａ，１５Ｂでは、ワイパの図示が省略されている。
【００７３】
図１５Ａ，１５Ｂに示すアジテータ３３では、図３Ａ，３Ｂに示すワイパ保持部５６に代えて、ワイパ保持部材２００が設けられている。
（１）ワイパ保持部材
幅方向の一方側のワイパ保持部材２００と、他方側のワイパ保持部材２００とは、それぞれ幅方向に対称の構成を有しているので、以下では、一方側のワイパ保持部材２００の構成について説明し、他方側のワイパ保持部材２００の構成についての説明を省略する。
【００７４】
、ワイパ保持部材２００は、幅方向に延び、アジテータ回転軸５０および遮光板５５に対して固定された板状の固定部２０１と、固定部２０１に対して径方向に間隔を空けて対向し、幅方向において固定部２０１と同じ長さに延びる板状の対向部２１５と、固定部２０１および対向部２１５のそれぞれ幅方向内側の端部同士を連結する板状の内側連結部２０２と、固定部２０１および対向部２１５のそれぞれ幅方向外側の端部同士を連結する板状の外側連結部２０３とを一体的に備えている。
【００７５】
内側連結部２０２、固定部２０１および対向部２１５の間において、遮光板５５の突出している側には、幅方向と交差する方向に延びる４つの第１連結部２０５が形成されている。具体的には、２つの第１連結部２０５は、内側連結部２０２と固定部２０１とを連結するように幅方向と交差する方向に延び、残りの２つの第１連結部２０５は、内側連結部２０２と対向部２１５とを連結するように幅方向と交差する方向に延びている。そして、４つの第１連結部２０５は、内側連結部２０２の延出方向中央部に対して延出方向に対称で、それぞれ幅方向外側に向かって開く２つのＶ字状をなしている。
【００７６】
また、外側連結部２０３の延出方向中央部には、幅方向内側に向けて延びる略三角形状の係止部材２０６が形成されている。各第１連結部２０５および係止部材２０６において、遮光板５５の突出している側と反対側の面には、図１５Ｂに示すように、当該反対方向に突出する断面半円形状の第１弾性部２０７が形成されている。
一方、内側連結部２０２と固定部２０１および対向部２１５との間において、遮光板５５の突出している側と反対側の端部間には、幅方向と交差する方向に延びる４つの第２連結部２０８が形成されている。具体的には、２つの第２連結部２０８は、内側連結部２０２と固定部２０１とを連結するように幅方向と交差する方向に延び、残りの２つの第２連結部２０８は、内側連結部２０２と対向部２１５とを連結するように幅方向と交差する方向に延びている。そして、４つの第２連結部２０８は、内側連結部２０２の延出方向中央部に対して延出方向に対称で、それぞれ幅方向外側に向かって開く２つのＶ字状をなしている。
【００７７】
遮光板５５の突出している側の面には、図１５Ａに示すように、当該突出方向に突出する断面半円形状の第２弾性部２０９が形成されている。第２弾性部２０９は、幅方向に見て、その突出部分が第１弾性部２０７の少なくとも一部と対向するように形成されている。
（２）ワイパ保持部材に対するワイパの固定
まず、ワイパ保持部材２００に対して幅方向外側の位置にワイパが配置される。そして、ワイパが全体的にワイパ保持部材２００に向けて幅方向内側に移動されると、ワイパの先端部が外側連結部２０３と第２連結部２０８の間に差し入れられる。
【００７８】
ワイパがさらに幅方向内側に移動されると、ワイパの先端部が第１弾性部２０７に対して遮光板５５の突出している側と反対側から当接し、その凸状面に沿ってワイパが変形する。また、ワイパの先端部が第２弾性部２０９に対して遮光板５５の突出している側から当接し、その凸状面に沿ってワイパが変形する。
そして、ワイパがさらに幅方向内側に移動され、ワイパの先端部が内側連結部２０２の幅方向外側面２０４に当接する。これにより、ワイパ保持部材２００に対するワイパの取り付けが達成される。
（３）作用効果
以上のように、第１弾性部２０７および第２弾性部２０９は、アジテータ回転軸５０と交差する方向に延びている。そのため、ワイパ５３を第１弾性部２０７と第２弾性部２０９との間に幅方向外側から差し込むことにより、ワイパ５３をアジテータ本体５１に容易に取り付けることができる。
【００７９】
また、第１弾性部２０７および第２弾性部２０９は、それぞれ幅方向外側に向かって開くＶ字状に形成されている。これにより、第１弾性部２０７が形成するＶ字の頂点と第２弾性部２０９が形成するＶ字の頂点とを結ぶ直線の両側において、ワイパを波打ち形状に変形させることができる。
【符号の説明】
【００８０】
２１    現像カートリッジ
２７    現像ケーシング
３２    光透過用窓
３３    アジテータ
５０    アジテータ回転軸
５１    アジテータ本体
５３    ワイパ
６２    第１固定部
６３    第２固定部
６４    直交面
６５    第１弾性部
６６    第２弾性部
７５    一方面
７６    他方面
１０１  ワイパ
１０６  直交面
１０７  第１弾性部
１０８  第２弾性部
１１０  固定突起
１１２  一方面
１１３  他方面
１５１  ワイパ
１５４  直交面
１５５  第１弾性部
１５６  第２弾性部
１５９  固定突起
１６１  一方面
１６２  他方面
２０１  ワイパ
２０７  第１弾性部
２０９  第２弾性部
【図１】
2010250018.tif 000003
【図２】
2010250018.tif 000004
【図３Ａ】
2010250018.tif 000005
【図３Ｂ】
2010250018.tif 000006
【図４Ａ】
2010250018.tif 000007
【図４Ｂ】
2010250018.tif 000008
【図５】
2010250018.tif 000009
【図６Ａ】
2010250018.tif 000010
【図６Ｂ】
2010250018.tif 000011
【図７Ａ】
2010250018.tif 000012
【図７Ｂ】
2010250018.tif 000013
【図８Ａ】
2010250018.tif 000014
【図８Ｂ】
2010250018.tif 000015
【図９】
2010250018.tif 000016
【図１０】
2010250018.tif 000017
【図１１Ａ】
2010250018.tif 000018
【図１１Ｂ】
2010250018.tif 000019
【図１２Ａ】
2010250018.tif 000020
【図１２Ｂ】
2010250018.tif 000021
【図１２Ｃ】
2010250018.tif 000022
【図１３】
2010250018.tif 000023
【図１４】
2010250018.tif 000024
【図１５Ａ】
2010250018.tif 000025
【図１５Ｂ】
2010250018.tif 000026